【手続補正書】
【提出日】平成25年7月16日(2013.7.16)
【手続補正１】
【補正対象書類名】特許請求の範囲
【補正対象項目名】全文
【補正方法】変更
【補正の内容】
【特許請求の範囲】
【請求項１】
少なくとも１つの変換器を有しているハウジングであって、該少なくとも１つの変換器は、エネルギー供給源から該少なくとも１つの変換器に伝達されたエネルギーに応答して、力学的振動を生成するように構成されている、ハウジングと、
該ハウジングから延在するシャフトアセンブリであって、該シャフトアセンブリは、少なくとも１つの関節運動部材と、少なくとも１つのクランプ締め部材と、該シャフトアセンブリを通って規定される長手方向軸とを含む、シャフトアセンブリと、
該シャフトアセンブリの遠位端部に配置されたエンドエフェクタアセンブリであって、該エンドエフェクタアセンブリは、該少なくとも１つのクランプ締め部材の移動に応答して、接近された構成と接近されていない構成との間を旋回可能な１対の対向するジョー部材を含み、該少なくとも１つの関節運動部材は、該１対の対向するジョー部材を該シャフトアセンブリの長手方向軸に対して関節運動させるように構成されている、エンドエフェクタアセンブリと、
該シャフトアセンブリ内に位置決めされた導波管アセンブリであって、該導波管アセンブリは、該変換器によって生成された該力学的振動を受け取るように構成されており、該導波管アセンブリは、該対向するジョー部材のうちの少なくとも１つ内に少なくとも部分的に位置決め可能である、導波管アセンブリと
を含む鉗子であって、
ここで、該エンドエフェクタは、該シャフトアセンブリおよび該導波管アセンブリに対して、近位位置と遠位位置との間で長手方向に並進可能であり、該エンドエフェクタアセンブリが該遠位位置に配置される場合、該エンドエフェクタアセンブリが、該シャフトアセンブリおよび該導波管アセンブリに対して関節運動することを可能にする、鉗子。
【請求項２】
前記１対の対向するジョー部材は、前記シャフトアセンブリに対して、該シャフトアセンブリの長手方向軸を横断する軸の周りに関節運動する、請求項１に記載の鉗子。
【請求項３】
前記シャフトアセンブリは、少なくとも２つの関節運動部材を含み、各関節運動部材は、前記１対のジョー部材を移動させるために、長手方向に並進可能である、請求項１に記載の鉗子。
【請求項４】
第一の関節運動部材は、前記１対のジョー部材を横方向に関節運動させるために、第二の関節運動部材とは反対の方向に移動する、請求項３に記載の鉗子。
【請求項５】
前記少なくとも２つの関節運動部材は、前記エンドエフェクタアセンブリが前記導波管アセンブリに対して、長手方向に並進するように、同じ長手方向に同時に移動する、請求項３に記載の鉗子。
【請求項６】
各関節運動部材は、少なくとも１つのボールベアリングによって前記１対の対向するジョー部材のうちの少なくとも１つに動作可能に結合され、該少なくとも１つのボールベアリングは、該１対のジョー部材が関節運動する際に、前記少なくとも１つの関節運動部材が該少なくとも１つのボールベアリングの外面に沿って移動するように、該１対の対向するジョー部材のうちの少なくとも１つに動作可能に結合されている、請求項１に記載の鉗子。
【請求項７】
前記導波管アセンブリは、前記エンドエフェクタアセンブリに対して、長手方向に並進可能である、請求項１に記載の鉗子。
【請求項８】
前記導波管アセンブリは、導波管および超音波治療部材を含み、該超音波治療部材は、前記少なくとも１つの変換器から前記力学的振動を受け取ることと、前記１対の対向するジョー部材の間に位置決めされた組織を治療するために、該力学的振動を伝達することとを行うように構成されている、請求項１に記載の鉗子。
【請求項９】
前記１対のジョー部材のうちの少なくとも１つは、該１対のジョー部材のうちの少なくとも１つを通るチャネルを規定し、前記超音波治療部材の少なくとも一部は、該チャネル内に位置決め可能である、請求項８に記載の鉗子。
【請求項１０】
前記超音波治療部材が、前記１対のジョーのうちの少なくとも１つによって規定されたチャネル内に位置決めされた場合、前記エンドエフェクタアセンブリは、関節運動することを妨げられる、請求項９に記載の鉗子。
【請求項１１】
前記１対のジョー部材のうちの少なくとも１つは、係合部材を含み、該係合部材は、前記クランプ締め部材の移動が該係合部材を旋回させ、該１対の対向するジョー部材が前記接近された構成と接近されていない構成との間に位置決め可能であるように、該クランプ締め部材に動作するように関連付けられている、請求項１に記載の鉗子。
【請求項１２】
前記力学的振動は、超音波周波数を有している、請求項１に記載の鉗子。
【請求項１３】
前記鉗子は、前記エネルギー供給源として作用するバッテリーを含む、請求項１に記載の鉗子。
【請求項１４】
前記バッテリーは、スマートバッテリーである、請求項１３に記載の鉗子。
【請求項１５】
前記ハウジングに動作可能に結合されたトリガーアセンブリをさらに含み、該トリガーアセンブリは、作動トリガーおよびクランプ締めトリガーを含み、該作動トリガーは、該作動トリガーの作動の際に、前記エネルギー供給源から前記少なくとも１つの変換器へのエネルギーの伝達を容易にするように構成されており、該クランプ締めトリガーは、該クランプ締めトリガーの作動の際に、前記１対の対向するジョー部材を接近されていない構成と接近された構成との間に移動させるために、該少なくとも１つのクランプ締め部材を移動させるように構成されている、請求項１に記載の鉗子。
【請求項１６】
前記シャフトアセンブリに動作可能に結合された回転アセンブリをさらに含み、該回転アセンブリは、該回転アセンブリの回転の際に、該シャフトアセンブリおよび前記エンドエフェクタアセンブリを回転させるように構成されている、請求項１に記載の鉗子。
【請求項１７】
前記少なくとも１つの関節運動部材に動作可能に結合された関節運動器をさらに含み、該少なくとも１つの関節運動部材は、該関節運動器の移動に応答して、移動する、請求項１に記載の鉗子。
【請求項１８】
少なくとも１つの変換器を有しているハウジングであって、該少なくとも１つの変換器は、エネルギー供給源から該少なくとも１つの変換器に伝達されたエネルギーに応答して、力学的振動を生成するように構成されている、ハウジングと、
該ハウジングから延在するシャフトアセンブリであって、該シャフトアセンブリは、長手方向軸を規定し、少なくとも１つの関節運動部材と、少なくとも１つのクランプ締め部材とを含む、シャフトアセンブリと、
該シャフトアセンブリ内に位置決めされた導波管アセンブリであって、該変換器によって生成された該力学的振動を受け取るように構成されている、導波管アセンブリと、
該シャフトアセンブリの遠位端部に配置されたエンドエフェクタアセンブリであって、該エンドエフェクタアセンブリは、該少なくとも１つのクランプ締め部材の移動に応答して、接近された構成と接近されていない構成との間を旋回可能な１対の対向するジョー部材を含み、該少なくとも１つの関節運動部材は、該１対の対向するジョー部材を該シャフトアセンブリの長手方向軸に対して関節運動させるように構成されており、該エンドエフェクタは、該シャフトアセンブリおよび該導波管アセンブリに対して、近位位置と遠位位置との間で長手方向に並進可能であり、該エンドエフェクタアセンブリが該遠位位置に配置される場合、該エンドエフェクタアセンブリが、該シャフトアセンブリおよび該導波管アセンブリに対して関節運動することを可能にする、エンドエフェクタアセンブリ
とを含む鉗子であって、
該導波管アセンブリは、該対向するジョー部のうちの少なくとも１つ内に少なくとも部分的に位置決め可能である、鉗子。
【請求項１９】
前記少なくとも１つの関節運動部材は、前記シャフトアセンブリの長手方向軸に対して横方向に前記１対の対向するジョー部材を関節運動させる、請求項１８に記載の鉗子。
【請求項２０】
前記エンドエフェクタアセンブリが前記近位位置にある場合、該エンドエフェクタアセンブリは関節運動することを妨げられる、請求項１８に記載の鉗子。